(57)【要約】【課題】付箋紙に印刷する画像の読み姿勢を、付箋紙の貼着形態に合わせて印刷することが可能な付箋紙印刷システムおよび付箋紙プリンタを提供する。【解決手段】一方の端部を剥離可能に粘着して積層した付箋紙束の最上位の付箋紙に印刷を行う付箋紙プリンタと、付箋紙に印刷するための画像データを作成する画像作成装置と、を備え、画像作成装置により作成した画像データに基づいて、付箋紙プリンタにより付箋紙に印刷する付箋紙印刷システムにおいて、画像作成装置は、画像データを作成する画像作成手段を備え、付箋紙プリンタは、作成した画像データを所定の角度回転させる画像回転手段と、画像回転手段により回転させた画像データに基づいて、印刷を行う印刷手段と、を備えた。【選択図】図７
2008221778.tif 000002
【特許請求の範囲】
【請求項１】
一方の端部を剥離可能に粘着して積層した付箋紙束の最上位の付箋紙に印刷を行う付箋紙プリンタと、前記付箋紙に印刷するための画像データを作成する画像作成装置と、を備え、前記画像作成装置により作成した前記画像データに基づいて、前記付箋紙プリンタにより前記付箋紙に印刷する付箋紙印刷システムにおいて、
前記画像作成装置は、
前記画像データを作成する画像作成手段を備え、
前記付箋紙プリンタは、
作成した前記画像データを所定の角度回転させる画像回転手段と、
前記画像回転手段により回転させた前記画像データに基づいて、印刷を行う印刷手段と、を備えたことを特徴とする付箋紙印刷システム。
【請求項２】
一方の端部を剥離可能に粘着して積層した付箋紙束の最上位の付箋紙に印刷を行う付箋紙プリンタと、前記付箋紙に印刷するための画像データを作成する画像作成装置と、を備え、前記画像作成装置により作成した前記画像データに基づいて、前記付箋紙プリンタにより前記付箋紙に印刷する付箋紙印刷システムにおいて、
前記画像作成装置は、
前記画像データを作成する画像作成手段と、
作成した前記画像データを所定の角度回転させる画像回転手段と、を備え、
前記付箋紙プリンタは、
前記画像回転手段により回転させた前記画像データに基づいて、印刷を行う印刷手段を備えたことを特徴とする付箋紙印刷システム。
【請求項３】
前記画像作成装置は、
前記画像回転手段により回転する前記画像データの回転角度を設定する回転角度設定手段を更に備えたことを特徴とする請求項１または２に記載の付箋紙印刷システム。
【請求項４】
前記付箋紙プリンタは、
前記画像回転手段により回転する前記画像データの回転角度を設定する回転角度設定手段を更に備えたことを特徴とする請求項１または２に記載の付箋紙印刷システム。
【請求項５】
前記回転角度設定手段は、前記付箋紙プリンタにセットされた前記付箋紙のセット姿勢に対し、前記画像データに基づいて印刷される印刷画像の印刷姿勢を、０°、９０°、１８０°および２７０°の回転角度から成る選択肢から、任意の１を選択して前記回転角度を設定するよう構成され、
前記付箋紙束は、平面視略正方形に形成されていることを特徴とする請求項３または４に記載の付箋紙印刷システム。
【請求項６】
前記付箋紙プリンタは、
前記画像データを記憶保存する記憶部を更に備えていることを特徴とする請求項１ないし５のいずれかに記載の付箋紙印刷システム。
【請求項７】
一方の端部を剥離可能に粘着して積層した付箋紙束の最上位の付箋紙に印刷するための画像データを作成する画像作成手段と、
作成した前記画像データを所定の角度回転させる画像回転手段と、
前記画像回転手段により回転させた前記画像データに基づいて、印刷を行う印刷手段と、を備えたことを特徴とする付箋紙プリンタ。
【請求項８】
前記画像回転手段により回転する前記画像データの回転角度を設定する回転角度設定手段を更に備えたことを特徴とする請求項７に記載の付箋紙プリンタ。
【請求項９】
前記回転角度設定手段は、セットされた前記付箋紙のセット姿勢に対し、前記画像データに基づいて印刷される印刷画像の印刷姿勢を、０°、９０°、１８０°および２７０°の回転角度から成る選択肢から、任意の１を選択して前記回転角度を設定するよう構成され、
前記付箋紙束は、平面視略正方形に形成されていることを特徴とする請求項８に記載の付箋紙プリンタ。
【請求項１０】
前記画像データを記憶保存する記憶部を更に備えていることを特徴とする請求項７ないし９のいずれかに記載の付箋紙プリンタ。
【発明の詳細な説明】
【技術分野】
【０００１】
本発明は、付箋紙束の最上位の付箋紙に印刷を行う付箋紙印刷システムおよび付箋紙プリンタに関するものである。
【背景技術】
【０００２】
従来、この種の付箋紙プリンタとして、セットした付箋紙束から最上位の付箋紙を１枚ずつ捲り上げ、捲り上げた付箋紙を引き剥がしながら、これに印刷を行うものが知られている（例えば、特許文献１参照）。また、付箋紙束は、一方の端部が糊付けされた固定端部（糊付け部）となっている。
【特許文献１】特開２００３−２１２３６７号公報
【発明の開示】
【発明が解決しようとする課題】
【０００３】
ここで、２枚の付箋紙に同一画像の印刷を行って、例えば、雑誌等の見開きの右ページに自由端部をはみ出させて付箋紙を貼着する場合と、左ページに自由端部をはみ出させて付箋紙を貼着する場合と、を比較する。このとき、右ページに貼着した付箋紙に印刷された画像は、正常な読み姿勢となるのに対し、左ページに貼着した付箋紙に印刷された画像は、上下逆さまの読み姿勢となる。つまり、付箋紙の貼着姿勢が変化（回転）すると、これに合わせて画像の読み姿勢が変化（回転）してしまう問題がある。
【０００４】
本発明は、付箋紙に印刷する画像の読み姿勢を、付箋紙の貼着形態に合わせて印刷することが可能な付箋紙印刷システムおよび付箋紙プリンタを提供することを目的とする。
【課題を解決するための手段】
【０００５】
本発明の他の付箋紙印刷システムは、一方の端部を剥離可能に粘着して積層した付箋紙束の最上位の付箋紙に印刷を行う付箋紙プリンタと、付箋紙に印刷するための画像データを作成する画像作成装置と、を備え、画像作成装置により作成した画像データに基づいて、付箋紙プリンタにより付箋紙に印刷する付箋紙印刷システムにおいて、画像作成装置は、画像データを作成する画像作成手段を備え、付箋紙プリンタは、作成した画像データを所定の角度回転させる画像回転手段と、画像回転手段により回転させた画像データに基づいて、印刷を行う印刷手段と、を備えたことを特徴とする。
【０００６】
また、本発明の付箋紙印刷システムは、一方の端部を剥離可能に粘着して積層した付箋紙束の最上位の付箋紙に印刷を行う付箋紙プリンタと、付箋紙に印刷するための画像データを作成する画像作成装置と、を備え、画像作成装置により作成した画像データに基づいて、付箋紙プリンタにより付箋紙に印刷する付箋紙印刷システムにおいて、画像作成装置は、画像データを作成する画像作成手段と、作成した画像データを所定の角度回転させる画像回転手段と、を備え、付箋紙プリンタは、画像回転手段により回転させた画像データに基づいて、印刷を行う印刷手段を備えたことを特徴とする。
【０００７】
また、本発明の付箋紙プリンタは、一方の端部を剥離可能に粘着して積層した付箋紙束の最上位の付箋紙に印刷する画像データを作成する画像作成手段と、作成した画像データを所定の角度回転させる画像回転手段と、画像回転手段により回転させた画像データに基づいて、印刷を行う印刷手段と、を備えたことを特徴とする。
【０００８】
この構成によれば、画像作成手段により作成した画像データを、画像回転手段により回転させることができる。このため、付箋紙の貼着姿勢が変化（回転）しても、印刷前に画像データを回転させ、回転後の画像データに基づいて、付箋紙に印刷することで、印刷画像の読み姿勢を正常な読み姿勢とすることができる。つまり、付箋紙に印刷する印刷画像の読み姿勢を、付箋紙の貼着形態に合わせて印刷することができる。
【０００９】
これらの場合、画像回転手段により回転する画像データの回転角度を設定する回転角度設定手段を更に備えたことが、好ましい。
【００１０】
この構成によれば、所望の回転角度を設定することができるため、付箋紙の貼着姿勢に合わせて、印刷画像の読み姿勢を任意に変更することができる。なお、付箋紙印刷システムの場合において、回転角度設定手段は、画像作成装置が有していても良いし、付箋紙プリンタが有していても良い。
【００１１】
この場合、回転角度設定手段は、セットされた付箋紙のセット姿勢に対し、画像データに基づいて印刷される印刷画像の印刷姿勢を、０°、９０°、１８０°および２７０°の回転角度から成る選択肢から、任意の１を選択して回転角度を設定するよう構成され、付箋紙束は、平面視略正方形に形成されていることが、好ましい。
【００１２】
この構成によれば、画像データを回転させても、印刷画像が付箋紙からはみ出すことが無く、付箋紙に印刷画像を収めて印刷することができる。この場合、付箋紙の貼着姿勢と、印刷画像の読み姿勢とが認識しやすいよう、上記の選択肢を、印刷画像の読み姿勢を変えず（回転させず）に、付箋紙の貼着姿勢を９０°づつ回転させた４つのイメージ図と対応させて、選択可能に表示することが好ましい。
【００１３】
この場合、付箋紙プリンタは、画像データを記憶保存する記憶部を更に備えていることが、好ましい。
【００１４】
この構成によれば、作成した画像データを記憶部に記憶保存することができる。このため、同様の画像データに基づいて、付箋紙に印刷する場合、記憶保存された画像データに基づいて、付箋紙に印刷することができるため、再度、画像データを作成しなおす必要が無い。
【発明を実施するための最良の形態】
【００１５】
以下、添付した図面を参照して、本実施形態に係る付箋紙印刷システムについて説明する。付箋紙印刷システムは、パソコンで作成した画像データに基づいて、付箋紙プリンタにより印刷を行って、プリンタ外部に印刷済みの付箋紙を排出するものである。
【００１６】
図１に示すように、付箋紙印刷システム１は、付箋紙束Ｈがセットされる付箋紙プリンタ４と、付箋紙プリンタ４にＵＳＢケーブル８等で接続され、付箋紙Ｈ１に印刷するための画像データを作成・編集するパソコン５とから構成されている。つまり、この付箋紙印刷システム１では、パソコン５により画像データを作成すると共に、この画像データを付箋紙プリンタ４に送信し、送信された画像データに基づいて、付箋紙プリンタ４により付箋紙Ｈ１に画像の印刷を行っている。
【００１７】
図２に示すように、付箋紙プリンタ４は、外殻を成す装置ケース１０と、装置ケース１０上に設けられた４つの回転角度設定ボタン（回転角度設定手段）２４と、装置ケース１０内部に格納され、装置ケース１０内部にセットした付箋紙束Ｈから付箋紙Ｈ１を引き剥がしながら印刷を行う印刷部アッセンブリ（印刷手段）１１と、を備え、制御部１２によりこれらの各種駆動を制御している。
【００１８】
付箋紙束Ｈは、裏面の基端部を部分糊付けした平面視略正方形の複数枚の付箋紙Ｈ１を積層したものである（図４参照）。付箋紙Ｈ１は、付箋紙束Ｈから１枚ずつ剥離され、剥離後に、この基端部の糊付け部１５を介して、手帳等に貼着される（図７参照）。
【００１９】
装置ケース１０は、全体として小型に形成されており、装置ケース１０の下部前面には、後述する付箋紙トレイ３０を装置ケース１０内部に前方から引出し式で導入するためのトレイ導入開口２０が形成されている。装置ケース１０の上部前面中央には、印刷済み付箋紙Ｈ１を装置ケース１０外部に排出する水平スリット状の排出口２１と、排出口２１を境に装置ケース１０内部から装置ケース１０外部へ延在し、引き剥がされた印刷済み付箋紙Ｈ１を受け留める受け部２２と、が形成されている。また、装置ケース１０の上面には、リボンカートリッジ３４の着脱やメンテナンスのための開閉蓋２３が取り付けられている。さらに、装置ケース１０の上面後方右側には、付箋紙Ｈ１に印刷する画像の回転角度を設定する４つの回転角度設定ボタン２４が設けられている。
【００２０】
図３に示すように、４つの回転角度設定ボタン２４は、それぞれ上下左右に配置されており、各回転角度設定ボタン２４は、印刷ボタンを兼ねている。すなわち、各回転角度設定ボタン２４を押すことで、画像データを所望の角度に回転させ、回転させた画像データに基づいて、付箋紙Ｈ１に印刷を行う（詳細は後述）。また、各回転角度設定ボタン２４の外側には、付箋紙Ｈ１に印刷された画像を模した４つのマーク（イメージ図）２５が形成されている。各マーク２５は、各回転角度設定ボタン２４に対応する貼着姿勢となる付箋紙マーク２６と、付箋紙マーク２６に対し、正常な読み姿勢となるよう配置された画像マーク２７と、から成っており、ユーザが各マーク２５を視認することで、容易に所望の貼着姿勢の付箋紙Ｈ１を選択することが可能となっている。
【００２１】
図４および図５に示すように、付箋紙プリンタ４は、印刷部アッセンブリ１１と、制御部１２と、回転角度設定ボタン２４と、を有し、印刷アッセンブリ１１は、付箋紙束Ｈをセットする付箋紙トレイ３０と、セットした付箋紙束Ｈの最上位の付箋紙Ｈ１を捲上げ位置４０において捲り上げた後、付箋紙Ｈ１を引き剥がして排出するピックアップローラ３１と、ピックアップローラ３１により送られてゆく付箋紙Ｈ１に印刷を行うサーマルヘッド３２と、ピックアップローラ３１を捲上げ位置４０とサーマルヘッド３２に接触する印刷位置４１との間で移動させるローラアーム３３と、インクリボンＲを収容したリボンカートリッジ３４と、を有している。つまり、ピックアップローラ３１は、サーマルヘッド３２に対峙するプラテンローラとしての役割も兼ねている。
【００２２】
このようにして構成された印刷部アッセンブリ１１は、付箋紙トレイ３０にセットされた付箋紙束Ｈに対し、ピックアップローラ３１を捲上げ位置４０に臨ませて、最上位の付箋紙Ｈ１を捲り上げ、この状態でローラアーム３３によりピックアップローラ３１を印刷位置４１に移動させる。すると、印刷位置４１に移動したピックアップローラ３１は、捲り上げた付箋紙Ｈ１と装着したリボンカートリッジ３４から繰り出されるインクリボンＲとを、サーマルヘッド３２と共に挟み込み、ピックアップローラ３１の回動により排出口２１に向かって送られてゆく付箋紙Ｈ１に、サーマルヘッド３２によりインクリボンＲのインクを熱転写して、所望の印刷が行われる。
【００２３】
制御部１２は、ＣＰＵ５０と、ＲＯＭ５１と、ＲＡＭ５２と、を有しており、ＲＯＭ５１内には、作成した画像データを回転させる画像回転プログラム（画像回転手段）等の制御プログラムや、付箋紙プリンタ４（特に、印刷部アッセンブリ１１）を駆動させるためのデバイスドライバ等のデータが記憶されていると共に、パソコン５から送信された画像データを記憶保存する画像データ記憶部が設けられている。また、ＣＰＵ５０は、ＲＯＭ５１内のプログラムを実行するものであり、ＲＡＭ５２は、各種プログラムを処理するための作業領域である。
【００２４】
パソコン５から画像データが送信されると、画像データは画像データ記憶部に記憶保存されると共に、ＣＰＵ５０によりＲＡＭ５２の処理領域上で画像回転プログラムを実行させて、送信された画像データの回転処理を行なう。この後、ＣＰＵ５０は、ＲＯＭ５１内に記憶されたデバイスドライバに基づいて、印刷アッセンブリ１１を駆動させ、回転させた画像データに基づいて、付箋紙Ｈ１に印刷処理を行なう。
【００２５】
図１および図５に示すように、パソコン５は、パソコン本体６０と、パソコン本体６０に接続され、データを入力するキーボード６１およびマウス６２と、入力結果等を表示するディスプレイ６３とを有している。パソコン本体６０は、その内部に、ＣＰＵ７０と、ＲＯＭ７１と、ＲＡＭ７２と、ＨＤＤ７３と、ＣＤドライブ７４と、を有しており、ＣＤドライブ７４には、付箋紙Ｈ１に印刷するための画像データを作成する画像データ作成アプリケーション（画像作成手段）等のデータを記憶したＣＤ−ＲＯＭ７５が着脱自在にセットされる。ＣＰＵ７０は、ＨＤＤ７３内のプログラムを実行するものであり、ＲＡＭ５２は、各種プログラムを処理するための作業領域であり、ＲＯＭ７１はパソコン５を制御するための制御プログラム等が記憶されている。そして、パソコン５のＨＤＤ７３内には、ＣＤ−ＲＯＭ７５からインストールされた各種データやプログラムが記憶されている。このため、ＣＰＵ７０は、ＨＤＤ７３内に記憶された画像データ作成アプリケーションをＲＡＭ７２の処理領域上に展開し、画像データ作成アプリケーションを起動させた状態において、キーボード６１またはマウス６２等から各種検出信号、各種指令、各種データ等が入力されると、ＣＰＵ７０は、画像データ作成アプリケーションに基づく各種プログラムに従って、各種データを処理し、画像データを作成するようになっている。
【００２６】
ここで、図６を参照して、画像データ作成アプリケーションにより作成した画像データに基づいて、付箋紙プリンタ４により付箋紙Ｈ１に印刷画像Ｇを印刷する一連の動作について説明する。先ず、画像データ作成アプリケーションを立ち上げ、ＣＰＵ７０、ＲＯＭ７１およびＲＡＭ７２を協働させて画像データを作成する（Ｓ１）。所望の画像データを作成した後、印刷指示を出す（Ｓ２）と、作成した画像データは、パソコン５からＵＳＢケーブル８を介して付箋紙プリンタ４に送信される（Ｓ３）。付箋紙プリンタ４により受信された画像データは、付箋紙プリンタ４のＲＯＭ５１内の画像データ記憶部に記憶保存される（Ｓ４、Ｓ５）。この後、付箋紙プリンタ４の所望の回転角度設定ボタン２４を押す（Ｓ１１）。このとき、上記したように回転角度設定ボタン２４は、印刷ボタンを兼ねているため、各回転角度設定ボタン２４を押すことで、付箋紙Ｈ１への印刷処理が開始される。次に、付箋紙プリンタ４は、画像データ記憶部に画像データが保存されているか否かを判断する（Ｓ１２）。画像データが保存されている場合、ユーザによる回転角度設定ボタン２４の押下により、画像データを上記の画像回転プログラムにより回転させ（Ｓ１３）、回転させた画像データに基づいて、付箋紙Ｈ１に印刷を行う（Ｓ１４）。一方、ＲＯＭ５１内に画像データが保存されていない場合は、印刷を行わず（空印刷を行い）、白紙の状態で付箋紙Ｈ１を排出する（Ｓ１５）。なお、図６に示すように、本実施形態の付箋紙プリンタ４において、画像データ記憶部に画像データが記憶されている場合、回転角度設定ボタン２４を押下するだけで、付箋紙Ｈ１に印刷を行うことが可能な構成となっている。このとき、画像データ記憶部は、ユーザにより任意に書換えや消去が行われるため、Ｓ１２において、画像データの有無を判断している。
【００２７】
図７に示すように、付箋紙Ｈ１の貼着形態との関係で、予めユーザが望む貼着姿勢に応じた各回転角度設定ボタン２４が押下されると、付箋紙Ｈ１には、押下した各回転角度設定ボタン２４に対応した読み姿勢となって、所望の印刷画像Ｇが印刷される。図７（ａ）に示すように、付箋紙Ｈ１の糊付け部１５を図示上側としたときの印刷画像Ｇを基にして回転された印刷画像Ｇのイメージを説明する。例えば、回転角度設定ボタン２４を押下して印刷画像Ｇを９０度回転させて印刷すると図７（ｂ）のようになる。さらに対応する回転角度設定ボタン２４を押下して印刷画像Ｇを１８０度回転させて印刷すると図７（ｃ）のようになる。さらに対応する回転角度設定ボタン２４を押下して印刷画像Ｇを２７０度回転させて印刷すると図７（ｄ）のようになる。このように印刷画像Ｇを回転させることにより、糊付け部１５に対して常に正常な読み姿勢となるよう印刷画像Ｇが印刷される。また、付箋紙Ｈ１が略正方形であれば、印刷画像Ｇを回転させても、印刷画像Ｇが付箋紙からはみ出すことが無く、付箋紙Ｈ１に印刷画像Ｇが収まるように印刷することが可能となる。
【００２８】
以上の構成によれば、画像データ作成アプリケーションにより作成した画像データを、画像回転プログラムにより回転させることができる。このため、付箋紙Ｈ１の貼着姿勢が変化しても、印刷前に画像データを回転させ、回転後の画像データに基づいて、付箋紙Ｈ１に印刷画像Ｇを印刷することで、印刷画像Ｇの読み姿勢を正常な読み姿勢とすることができる。言い換えれば、付箋紙Ｈ１に印刷する印刷画像Ｇの読み姿勢を、付箋紙Ｈ１の貼着形態に合わせて印刷することができる。
【００２９】
次に、図８および図９を参照して、第２実施形態に係る付箋紙印刷システム１について説明する。なお、重複した記載を避けるべく、異なる部分についてのみ説明する。この付箋紙印刷システム１では、付箋紙プリンタ４に設けられた回転角度設定ボタン２４に代えて、パソコン５に記憶された画像データ作成アプリケーションに、画像データの回転角度を設定する回転角度設定メニュー８０が設けられると共に、付箋紙プリンタ４に印刷ボタンが設けられている。また、付箋紙プリンタ４のＲＯＭ５１内に記憶された画像回転プログラムが、パソコン５のＨＤＤ７３内にも記憶されている。
【００３０】
図８に示すように、回転角度設定メニュー８０は、中央に上下左右に配置された４つのラジオボタン８１と、各ラジオボタン８１の外側に配置され、付箋紙Ｈ１に印刷された画像を模した４つのイメージ画像８５と、を有している。各イメージ画像８５は、上記の各マーク２５と同様に、各ラジオボタン８１に対応する貼着姿勢となる付箋紙イメージ８６と、付箋紙イメージ８６に対し、正常な読み姿勢となるよう配置された画像イメージ８７と、から成っている。
【００３１】
次に、図９を参照して、回転角度設定メニュー８０により画像データを回転させ、回転した画像データに基づいて付箋紙Ｈ１に印刷画像Ｇを印刷する一連の動作について説明する。先ず、画像データ作成アプリケーションを立ち上げ、ＣＰＵ７０、ＲＯＭ７１およびＲＡＭ７２を協働させて画像データを作成する（Ｓ２１）。画像データを作成した後、回転角度設定メニュー８０を表示させ、所望のラジオボタン８１を押して回転角度を設定する（Ｓ２２）。この後、印刷指示を出す（Ｓ２３）と、作成した画像データは、画像回転プログラムにより、選択したラジオボタン８１に対応した回転角度に回転される（Ｓ２４）。同時に、回転した画像データは、パソコン５からＵＳＢケーブル８を介して付箋紙プリンタ４に送信される（Ｓ２５）。付箋紙プリンタ４に画像データが受信される（Ｓ２６）と、付箋紙プリンタ４は、画像データを画像データ記憶部に記憶保存する（Ｓ２７）。そして、ユーザにより印刷ボタンが押下されると、上記のデバイスドライバにより印刷部アッセンブリ１１が駆動し、この画像データに基づいて付箋紙Ｈ１に印刷を行う（Ｓ２８）。以上の構成においても、画像データ作成アプリケーションにより作成した画像データを、画像回転プログラムにより回転させることができるため、付箋紙Ｈ１に印刷する印刷画像Ｇの読み姿勢を、付箋紙Ｈ１の貼着形態に合わせて印刷することができる。
【００３２】
次に、図１０を参照して、上記の付箋紙印刷システム１を、付箋紙プリンタ４のみで実現する場合について説明する。図示は省略するが、この付箋紙プリンタは、キーボート等の入力装置と、ディスプレイ等の出力装置とを備えると共に、画像データ作成アプリケーションおよび画像回転プログラムを、付箋紙プリンタのＲＯＭ内に記憶している。また、キーボード上には、回転角度設定ボタンが配設されている。
【００３３】
図１０に示すように、付箋紙プリンタを起動させる（Ｓ３１）と、ディスプレイ上には、画像データ作成アプリケーションの画像作成メニューが表示される。この状態おいて、キーボードにより所望のデータを入力して画像データを作成する（Ｓ３２）。この後、キーボード上の印刷ボタンを押す（Ｓ３３）と、ディスプレイ上には、回転角度設定メニューが表示され、所望の回転角度設定ボタンを押す（Ｓ３４）。すると、作成した画像データは、押下した回転角度設定ボタンに基づいて、画像回転プログラムにより回転させられ（Ｓ３５）、回転した画像データに基づいて、印刷部アッセンブリが、付箋紙Ｈ１に印刷画像Ｇの印刷を行う（Ｓ３６）。
【００３４】
以上の構成においても、画像データ作成アプリケーションにより作成した画像データを、画像回転プログラムにより回転させることができるため、付箋紙Ｈ１に印刷する印刷画像Ｇの読み姿勢を、付箋紙Ｈ１の貼着形態に合わせて印刷することができる。なお、この構成では、画像データを作成した後、画像データを回転するよう設定したが、変形例として、図１１に示すように、予め画像の回転角度を設定しておき、この後、画像データを作成するようにしても良い。これにより、付箋紙Ｈ１の貼着姿勢に合わせた画像データを作成することが可能となる。
【図面の簡単な説明】
【００３５】
【図１】本実施形態に係る付箋紙印刷システムの模式図である。
【図２】付箋紙プリンタの外観斜視図である。
【図３】回転角度設定ボタンの模式図である
【図４】付箋紙プリンタの内部模式図である。
【図５】付箋紙印刷システムの制御ブロック図である。
【図６】付箋紙印刷システムによる画像データの回転と付箋紙への印刷に関するフロー図である。
【図７】印刷済みの付箋紙の模式図である。
【図８】第２実施形態に係る付箋紙印刷システムが有する回転角度設定メニューの模式図である。
【図９】第２実施形態に係る付箋紙印刷システムによる画像データの回転に関するフロー図である。
【図１０】付箋紙プリンタによる画像データの回転に関するフロー図である。
【図１１】変形例の付箋紙プリンタによる画像データの回転に関するフロー図である。
【符号の説明】
【００３６】
１…付箋紙印刷システム  ４…付箋紙プリンタ  ５…パソコン  １１…印刷部アッセンブリ  １５…糊付け部  ２４…回転角度設定ボタン  ２５…マーク  ８０…回転角度設定メニュー  Ｇ…印刷画像  Ｈ…付箋紙束  Ｈ１…付箋紙
【図１】
2008221778.tif 000003
【図２】
2008221778.tif 000004
【図３】
2008221778.tif 000005
【図４】
2008221778.tif 000006
【図５】
2008221778.tif 000007
【図６】
2008221778.tif 000008
【図７】
2008221778.tif 000009
【図８】
2008221778.tif 000010
【図９】
2008221778.tif 000011
【図１０】
2008221778.tif 000012
【図１１】
2008221778.tif 000013